(57)【要約】      （修正有）【課題】使用に便利である反射式拡声装置を提供する。【解決手段】反射式拡声装置は、電子装置の音量を拡大するために用いられ、台座１０及び台座１０に装着された拡声体２０を備える。拡声体２０の内部には、電子装置を積載するためのブラケットが設けられ、拡声体２０の内面には、音を反射することができる反射壁２２が形成されている。また、反射壁２２は、半楕円球状の構造を有し、且つ開口を有するカバーであり、楕円体の短軸に沿って、楕円体の半分を切り取って形成された構造を有し、開口端２１、反射壁２２及び反射壁２２の反対側に設けられた外周壁２３を備える。【選択図】図１
0003190595.tif 000002
【実用新案登録請求の範囲】
【請求項１】
電子装置の音量を拡大するための反射式拡声装置であって、前記反射式拡声装置は、台座及び前記台座に装着された拡声体を備え、前記拡声体の内部には、前記電子装置を積載するためのブラケットが設けられ、前記拡声体の内面には、音を反射できる反射壁が形成されており、前記反射壁は、半楕円球状の構造であることを特徴とする反射式拡声装置。
【請求項２】
前記拡声体は、開口を有するカバーであり、楕円体の短軸に沿って、当該楕円体を半分に切り取って形成された構造を有し、開口端、反射壁及び前記反射壁の反対側に設けられた外周壁を備えることを特徴とする請求項１に記載の反射式拡声装置。
【請求項３】
前記台座は、ベース及び前記ベースの上面に突設されている積載体を備え、前記積載体は、前記拡声体の外周壁の底部に連接固定され、且つ開口端が若干上方に向くように、台座に対して所定の角度で前記開口端を傾斜させて支持していることを特徴とする請求項２に記載の反射式拡声装置。
【請求項４】
前記反射壁は、半楕円球状のチャンバーであり、前記開口端に対向している弧状端部を備え、前記開口端の中心点から前記弧状端部の中間点までの軸線は、前記拡声体の長軸が位置する軸線であることを特徴とする請求項３に記載の反射式拡声装置。
【請求項５】
前記ブラケットは、前記反射壁の下側、即ち前記積載体に近い箇所に設けられ、前記ブラケットにおける前記拡声体の長軸が位置する軸線上に位置する一端には、前記電子装置を固定するための収容台が設けられていることを特徴とする請求項４に記載の反射式拡声装置。
【請求項６】
前記積載体は、連結軸を介して前記ベースに回転可能に装着されることを特徴とする請求項３から５のいずれか一項に記載の反射式拡声装置。
【請求項７】
前記ブラケットの前記収容台は、斜めに延在する支持面を有し、前記支持面の両側には、前記電子装置を挟持するためのリブがそれぞれ設けられていることを特徴とする請求項５に記載の反射式拡声装置。
【請求項８】
前記ブラケットの前記収容台は、前記電子装置を吸着できる吸盤であることを特徴とする請求項５に記載の反射式拡声装置。
【請求項９】
前記ブラケットの前記収容台は、複数の爪部により構成されることを特徴とする請求項５に記載の反射式拡声装置。
【請求項１０】
前記拡声体は、音を反射できる材料からなり、前記反射壁は、前記拡声体の内面に音反射性塗料を塗布することにより形成されることを特徴とする請求項１から９のいずれか一項に記載の反射式拡声装置。
【考案の詳細な説明】
【技術分野】
【０００１】
本考案は、反射式拡声装置に関するものである。
【背景技術】
【０００２】
近年、携帯電話機の機能は多様化しており、消費者の携帯電話機機能、例えばマルチメディア機能に対する要求も益々高くなっている。現在、携帯電話機において、オーディオ再生はよく利用されている機能の一つであるが、携帯電話機自体のスピーカの音量及び音質を向上させるためには、通常、携帯電話機を外部のスピーカに接続させる必要がある。しかし、外部のスピーカは、室内で電源に接続して初めて使用できるので不便である。
【考案の概要】
【考案が解決しようとする課題】
【０００３】
本考案は、上記の問題点を考慮してなされたものであり、使用に便利である反射式拡声装置を提供することを目的とする。
【課題を解決するための手段】
【０００４】
上記の目的を達成するために、本考案に係る反射式拡声装置は、台座及び前記台座に装着された拡声体を備える。前記拡声体の内部には、前記電子装置を積載するためのブラケットが設けられ、前記拡声体の内面には、音を反射できる反射壁が形成されており、前記反射壁は、半楕円球状の構造を有する。
【考案の効果】
【０００５】
本考案に係る反射式拡声装置の拡声体の反射壁は、半楕円球状のチャンバーの構造を採用し、前記拡声体の内部に斜めに固定された携帯電話機が出した音は、前記反射壁に伝播されると、前記反射壁により前記拡声体の外部へ反射されて且つ一点に集まる。これにより、本考案の反射式拡声装置は、通電しなくてもスピーカとして機能できるので、使用に便利であり、且つ電気エネルギーを節約することができる。
【図面の簡単な説明】
【０００６】
【図１】本考案の反射式拡声装置の斜視図である。
【図２】図１に示した反射式拡声装置に携帯電話機を装着している状態を示す図である。
【図３】図２に示した反射式拡声装置のＩＩＩ−ＩＩＩ線に沿った断面図である。
【考案を実施するための形態】
【０００７】
図１に示すように、本考案に係る反射式拡声装置は、携帯電話機等の電子装置が出した音量を増幅し、その音質を向上するために用いられる。反射式拡声装置は、台座１０及び拡声体２０を備える。
【０００８】
台座１０は、ベース１１及び積載体１２を備える。本実施形態において、積載体１２は、ベース１１の上面に突設されており、拡声体２０を支持する。また、変形例として、拡声体２０の角度を調節するために、連結軸を介して積載体１２をベース１１に回転可能に設置してもよい。
【０００９】
図２及び図３を併せて参照すると、拡声体２０は、開口を有するカバーであり、音反射効果に優れた材料からなる。本考案に係る拡声体２０は、楕円体の短軸に沿って、当該楕円体を半分に切り取って形成された構造を有する。具体的には、拡声体２０は、開口端２１、反射壁２２（拡声体２０の内面）及び反射壁２２の反対側に設けられた外周壁２３（拡声体２０の外面）を備える。積載体１２は、拡声体２０の外周壁２３の底部に連接固定されている。拡声体２０がより良い音声を伝えるために、積載体１２は、開口端２１が若干上方に向くように、台座１０に対して所定の角度で開口端２１を傾斜させて支持している。反射壁２２は、半楕円球状のチャンバーであり、開口端２１に対向して位置する弧状端部２２１を備える。反射壁２２の表面には、音反射効果に優れた塗料が塗布されている。開口端２１の中心点から弧状端部２２１の中間点までの軸線は、半楕円体状の拡声体２０の長軸が位置する軸線Ｈとなる。反射壁２２の下側、つまり積載体１２に近い箇所には、ブラケット２５が設けられている。ブラケット２５の上端には、携帯電話機１００を挟持するための収容台２５１が設けられている。本実施形態において、収容台２５１は、斜めに延在している支持面２５２を備え、この支持面２５２の両側には、携帯電話機１００を挟持するためのリブ２５３がそれぞれ設けられている。
【００１０】
変形例として、収容台２５１は、携帯電話機１００を吸着できる吸盤式を採用しても良い。また、収容台２５１に、三つの爪部を設けて、当該三つの爪部を介して携帯電話機１００を挟持しても良い。この場合、携帯電話機１００の殆んどの部分を露出させて、携帯電話機１００のスピーカの音を最大限に出すことができる。
【００１１】
本考案の反射式拡声装置を使用して携帯電話機１００のオーディオを再生する場合、先ず携帯電話機１００をブラケット２５上にセットする。この際、前記スピーカ（発音点）は、携帯電話機１００の端部に位置する。次いで、スピーカから音を出すと、音はスピーカの位置を焦点として、反射壁２２の異なる部位に伝播され、且つ反射壁２２により反射されて開口端２１から外へ伝搬されて、１つの点に集まる（例えば、図３に示すＦ点）。他の実施形態において、携帯電話機１００のスピーカの位置を若干変化させると、音は図３に示すＦ１点又はＦ２点に集まる。以上によって、携帯電話機１００が出す音の音量及び音質は、本考案の反射式拡声装置により向上される。本実施形態において、リブ２５３が設けられた収容台２５１は、音透過性材料からなる。
【００１２】
さらに、本考案の反射式拡声装置は、体積が小さいため携帯し易い。また、電源に接続しなくてもスピーカとして機能できるので、エネルギーを節約することができる。
【００１３】
また、通常、携帯電話機１００のスピーカは、携帯電話機の両端又は背面の一端に設けられるので、携帯電話機１００のスピーカの位置をできるだけ軸線Ｈに近い位置にすることが好ましい。これにより、携帯電話機１００が出す音は、反射壁２２により反射されると、殆んどＦ点に集められる。つまり、Ｆ点が軸線Ｈ上に位置する場合、携帯電話機１００の音の効果は最も優れている。
【符号の説明】
【００１４】
１０  台座
１１  ベース
１２  積載体
２０  拡声体
２１  開口端
２２  反射壁
２２１  弧状端部
２３  外周壁
２５  ブラケット
２５１  収容台
２５２  支持面
２５３  リブ
１００  携帯電話機
【図１】
0003190595.tif 000003
【図２】
0003190595.tif 000004
【図３】
0003190595.tif 000005